(57)【要約】      （修正有）【課題】製造コストのかからない簡単な構成で施工が容易であり、人通孔の周囲どの部分においても十分な強度を得ることができ、施工後も特別な処置を施さなくても長期間にわたって強度を保つことができるように地中梁における人通孔回りの補強構造を提供する。【解決手段】地中梁３に形成される人通孔５の両側に２本１組でＸ字状に配筋され、人通孔側の端部が梁主筋にフックで緊結され、他端部がコンクリートに定着され、且つ、梁幅方向に間隔を隔てて対向配置される４組の斜め補強筋８と、人通孔の両側で且つせん断補強の有効な範囲に上下の梁主筋群にわたって巻掛け配筋される孔周囲せん断補強筋１１とを備える孔周囲補強筋と、人通孔の上部および下部に梁主筋と平行に配筋される複数本の軸方向補強筋１３と最外側の梁主筋とにわたって巻掛け配筋される孔上下部あばら筋１４とを備える上下一対の孔部補強筋をコンクリートに埋設する。【選択図】図４
2013087504.tif 000002
【特許請求の範囲】
【請求項１】
地中梁に形成される人通孔の梁長手方向両側に夫々２本１組でＸ字状に配筋され、人通
孔側の端部が梁主筋にフックで緊結され、他端部がコンクリートに定着され、且つ、梁幅
方向に間隔を隔てて対向配置される４組の斜め補強筋と、人通孔の梁長手方向両側で且つ
せん断補強の有効な範囲に夫々上下の梁主筋群にわたって巻掛け配筋される孔周囲せん断
補強筋とを備える孔周囲補強筋と、人通孔の上部および下部に夫々梁主筋と平行に配筋さ
れる複数本の軸方向補強筋と最外側の梁主筋とにわたって巻掛け配筋される孔上下部あば
ら筋とを備える上下一対の孔部補強筋が埋設されたことを特徴とする地中梁における人通
孔回りの補強構造。
【請求項２】
孔部補強筋が、軸方向補強筋と最外側の梁主筋とをフックで緊結して配筋されるキャッ
プタイ形状の拘束筋を備えることを特徴とする請求項１に記載の地中梁における人通孔回
りの補強構造。
【請求項３】
孔周囲補強筋が、孔周囲せん断補強筋のうち人通孔に最も近く配筋される孔周囲せん断
補強筋を２本束ね筋とすることで構成される孔際せん断補強筋を備えることを特徴とする
請求項１又は２に記載の地中梁における人通孔回りの補強構造。
【発明の詳細な説明】
【技術分野】
【０００１】
本発明は、鉄筋コンクリート造の地中梁に形成される人通孔回りの補強構造に関する。
【背景技術】
【０００２】
一般に、多層集合住宅などの大きな建物においては、最下階の床スラブの下部空間がス
パン毎に地中梁（基礎梁）で分割されるので、設備配管等のメンテナンスに備えて、地中
梁の一部に作業員が通過できる大きな開口（人通孔）が形成される。しかしながら、梁を
貫通する人通孔などの開口の直径は梁の強度確保のために梁の大きさに合わせて制限され
ており、鉄筋コンクリート造の梁においては、梁成の１／３以下に抑制することが望まれ
ている。従って、開口が大きいほど梁成が大きくなり、元々梁成が大きな地中梁に、人通
孔のような大開口を形成すれば地中梁の高さが著しく高くなって、地盤掘削量やコンクリ
ート量が増し、コスト高となることは避けられなかった。そこで、梁成を抑えて人通孔を
できるだけ大きく形成できるように種々の補強構成が考えられている。
【０００３】
特許文献１には、地中梁を対象にしたものではないが、大きな開口を有する鉄筋コンク
リート梁において、開口の内側に鋼管が嵌挿され、鉄筋コンクリート梁の剪断補強筋が鋼
管の外周面に接合されている鉄筋コンクリート梁の補強構造が記載されている。
【０００４】
特許文献２には、上端の梁主筋及び下端の梁主筋と、せん断補強筋が配筋された鉄筋コ
ンクリート造の梁に開口を形成し、この開口の回りに複数の補強用の斜め筋を配筋するに
あたり、斜め筋を２本一組で互いに交差させて配筋し、斜め筋の両端に形成されたフック
の一方を上端の梁主筋に、他方のフックを下端の梁主筋に係合させるように配置すること
が記載されている。
【先行技術文献】
【特許文献】
【０００５】
【特許文献１】特開２００７−５１５３３号公報
【特許文献２】特開２００６−１８３３１１号公報
【発明の概要】
【発明が解決しようとする課題】
【０００６】
しかしながら、特許文献１のものでは、鋼管と剪断補強筋を溶接する工程が必要があ
って、コストが高く付くという問題がある。また、鋼管と剪断補強筋が溶接されているの
で、コンクリートと鋼管の間に、結露などによって生じた水分が染み込むなどして溶接部
分に錆を発生させ、鉄筋コンクリート梁の強度低下を招く可能性があり、これを防止する
処置を必要とし、これがコストアップの要因ともなっていた。
【０００７】
特許文献２のものでは、梁を貫通する開口の上部および下部におけるコンクリートにあ
ばら筋となる鉄筋による補強がなく、コンクリートの肉厚も薄いので、この部分の強度低
下が発生することは避けられなかった。つまり、開口の上下における上端の梁主筋と下端
の梁主筋が上下に歪むような変形が生じやすいという問題があった。
【０００８】
本発明は上述の事柄を考慮に入れてなされたものであって、製造コストの安い簡単な構
成にして施工が容易であり、人通孔の周囲どの部分においても十分な強度を得ることがで
き、かつ、施工後も特別な処置を施さなくても長期間にわたって強度を保つことができる
ようにした地中梁における人通孔回りの補強構造を提供することを課題とする。
【課題を解決するための手段】
【０００９】
上記の目的を達成するために、本発明が講じた技術的手段は、次の通りである。即ち、
請求項１に記載の発明による地中梁における人通孔回りの補強構造は、地中梁に形成され
る人通孔の梁長手方向両側に夫々２本１組でＸ字状に配筋され、人通孔側の端部が梁主筋
にフックで緊結され、他端部がコンクリートに定着され、且つ、梁幅方向に間隔を隔てて
対向配置される４組の斜め補強筋と、人通孔の梁長手方向両側で且つせん断補強の有効な
範囲に夫々上下の梁主筋群にわたって巻掛け配筋される孔周囲せん断補強筋とを備える孔
周囲補強筋と、人通孔の上部および下部に夫々梁主筋と平行に配筋される複数本の軸方向
補強筋と最外側の梁主筋とにわたって巻掛け配筋される孔上下部あばら筋とを備える上下
一対の孔部補強筋が埋設されたことを特徴としている。
【００１０】
請求項２に記載の発明は、請求項１に記載の地中梁における人通孔回りの補強構造であ
って、孔部補強筋が、軸方向補強筋と最外側の梁主筋とをフックで緊結して配筋されるキ
ャップタイ形状の拘束筋を備えることを特徴としている。
【００１１】
請求項３に記載の発明は、請求項１又は２に記載の地中梁における人通孔回りの補強構
造であって、孔周囲補強筋が、孔周囲せん断補強筋のうち人通孔に最も近く配筋される孔
周囲せん断補強筋を２本束ね筋とすることで構成される孔際せん断補強筋を備えることを
特徴としている。
【発明の効果】
【００１２】
請求項１に記載の発明によれば、人通孔の上下のコンクリート部分に、人通孔の上部お
よび下部に夫々梁主筋と平行に配筋される複数本の軸方向補強筋と最外側の梁主筋とにわ
たって巻掛け配筋される孔上下部あばら筋とを備える上下一対の孔部補強筋が埋設される
ので、人通孔を設けたことによる梁主筋の曲がりを確実に防ぐことができる。また、人通
孔の梁長手方向両側には、夫々、斜め補強筋と、上下の梁主筋群にわたって巻掛け配筋さ
れる孔周囲せん断補強筋とを備える孔周囲補強筋が埋設されるので、上下の軸方向補強筋
の変形や位置ずれを防ぐと共に、人通孔の側面を補強することができる。つまり、人通孔
はその周囲どの部分においても補強されるので、強度的な問題を発生させることなく人通
孔の大きさを大きくすることができる。
【００１３】
前記斜め補強筋は、一端だけ、つまり、人通孔側の端部だけをフックに形成して梁主筋
に係合させる形状であるため、配筋作業が容易であり、施工が容易となり、それだけ製造
コストを削減することができる。
【００１４】
前記孔部補強筋は、複数本の軸方向補強筋と最外側の梁主筋とにわたって巻掛け配筋さ
れる孔上下部あばら筋とで構成してもよいが、請求項２に記載の発明のように、全てを軸
方向補強筋と梁主筋とにわたって巻き掛けるのではなく、孔上下部あばら筋ほどの拘束力
を要求されない人通孔両側方の箇所（軸方向補強筋の両端側）には、孔上下部あばら筋に
代え、軸方向補強筋と最外側の梁主筋とをフックで緊結して配筋されるキャップタイ形状
の拘束筋を加えて構成することが、配筋作業を容易にすると共に、鉄筋量の低減を可能と
する点で、望ましい。
【００１５】
前記孔周囲補強筋は、斜め補強筋と、人通孔の梁長手方向両側で且つせん断補強の有効
な範囲に夫々上下の梁主筋群にわたって巻掛け配筋される孔周囲せん断補強筋とで構成し
てもよいが、孔際が最も応力的に耐力を必要とするため太径の鉄筋で補強することも考え
られるが、コンクリートのかぶり厚さ確保の問題もある為、請求項３に記載の発明のよう
に、孔周囲せん断補強筋のうち人通孔に最も近く配筋される孔周囲せん断補強筋を２本束
ね筋とすることで構成される孔際せん断補強筋を加えて構成することが、細径の鉄筋を用
いて、せん断補強の効果を高め得る点で、望ましい。
【００１６】
尚、梁主筋に対する斜め補強筋の角度は約４５度〜６０度であること望ましい。前記軸
方向補強筋の長さは、後述する通り、梁成をＤとしたとき、≧Ｄとすることが望ましい。
また、各鉄筋は所定のかぶり厚を確保するように梁コンクリートの内部に埋設されるもの
であり、外気に接することがないので錆などの問題が発生することはない。
【００１７】
上述したように、本発明によれば、簡単な構成でありながら人通孔の周囲における地中
梁の補強を十分に行うことができるので、製造コストを削減しながら比較的大きな人通孔
を形成できると共に、永く安定した地中梁を形成することができる。
【図面の簡単な説明】
【００１８】
【図１】本発明の実施形態に係る地中梁における人通孔回りの補強構造が採用された地中梁の全体構成を示す図である。
【図２】本発明の実施形態に係る地中梁における人通孔回りの補強構造の構成を示す要部の透視斜視図である。
【図３】図２の人通孔回りの補強構造を人通孔の軸芯方向から見た側面図である。
【図４】図３のＡ−Ａ断面図である。
【図５】図３のＢ−Ｂ断面図である。
【図６】斜め補強筋の配筋状態を説明する側面図と正面図である。
【図７】孔周囲補強筋の配筋状態を説明する側面図と正面図である。
【図８】孔部補強筋の配筋状態を説明する側面図である。
【図９】孔部補強筋の配筋状態を示し、（Ａ）は図８のＡ−Ａ断面図、（Ｂ）は図８のＢ−Ｂ断面図である。
【発明を実施するための形態】
【００１９】
図１に示すように、多層集合住宅などの大きな建物を構築する場合、基礎１として各柱
２の脚部間を連結するように鉄筋コンクリート造の地中梁３，４を形成することが多い。
また、地中梁３には作業者が通り抜けできると共に配管を通すことができるように人通孔
５を形成することが行なわれている。
【００２０】
前記人通孔５は、作業性を考慮すると大きくすることが好ましいが、強度的には地中梁
３の長さおよび高さに合わせて、その大きさが制限されている。そこで、地中梁３内に配
筋する鉄筋により人通孔回りの補強構造を形成し、人通孔５を形成した部分における補強
を施す。
【００２１】
本発明の実施形態においては、人通孔回りの補強構造６が次の通りに構成されている。
即ち、図２〜図５に示すように、地中梁３に形成される人通孔５の梁長手方向両側に夫々
２本１組でＸ字状に配筋され、人通孔５側の端部が梁主筋７ａ，７ｂにフックで緊結され
、他端部がコンクリートに定着され、且つ、梁幅方向に間隔を隔てて対向配置される４組
の斜め補強筋８と、人通孔５の両側に配筋される孔周囲補強筋９と、人通孔５の上部と下
部に配筋される上下一対の孔部補強筋１０とで構成されている。
【００２２】
孔周囲補強筋９は、人通孔５の梁長手方向両側で且つせん断補強の有効な範囲Ｃに夫々
上下の梁主筋７ａ，７ｂ群にわたって巻掛け配筋される孔周囲せん断補強筋１１と、孔周
囲せん断補強筋１１のうち人通孔５に最も近く配筋される孔周囲せん断補強筋１１を２本
束ね筋とすることで構成される孔際せん断補強筋１２とで構成されている。
【００２３】
孔部補強筋１０は、人通孔５の上部および下部に夫々最外側の梁主筋７ａ，７ｂと平行
に配筋される２本の軸方向補強筋１３と最外側の梁主筋７ａ，７ｂとにわたって巻掛け配
筋される複数本の孔上下部あばら筋１４と、人通孔５より両側方に位置する軸方向補強筋
１０の両端側と最外側の梁主筋７ａ，７ｂとをフックで緊結して配筋される複数組のキャ
ップタイ形状の拘束筋１５とで構成されている。斜め補強筋８の人通孔５側とは反対側の
端部（コンクリートに定着される側の端部）は、図６に示すように、適当長さ（鉄筋径を
ｄとしたとき≧１０ｄとなる長さ）だけ水平方向に屈曲して定着長を確保している。また
、斜め補強筋８の人通孔５側とは反対側の端部については、前述の定着手段の他に端部に
１３５度あるいは１８０度のフックを形成する様にしても良い。
【００２４】
尚、梁主筋７ａ，７ｂに対する斜め補強筋の角度は約６０度に設定されているが、約４
５度〜６０度の範囲で適宜設定される。前記軸方向補強筋１３の長さは、梁成をＤとした
とき、≧Ｄとすることが望ましい。また、各鉄筋は所定のかぶり厚を確保するように梁コ
ンクリートの内部に埋設される。せん断補強の有効な範囲Ｃとは、図７に示すように、人
通孔５の中心から垂直、水平に延びる軸線に対して４５度の斜線を延ばし、地中梁の上，
下端の梁主筋７ａ，７ｂと交差する位置までの範囲である。従って、人通孔５を梁成の中
心から下方へ偏心して形成する場合、梁下端ではせん断補強の有効な範囲Ｃが狭くなり、
梁上端では逆にせん断補強の有効な範囲Ｃが広がることになる。
【００２５】
上記の構成によれば、人通孔５の上下のコンクリート部分に、人通孔５の上部および下
部に夫々梁主筋７ａ，７ｂと平行に配筋される２本の軸方向補強筋１３と最外側の梁主筋
７ａ，７ｂとにわたって巻掛け配筋される孔上下部あばら筋１４および拘束筋１５とを備
える上下一対の孔部補強筋１０が埋設されるので、人通孔５を設けたことによる梁主筋７
ａ，７ｂの曲がりを確実に防ぐことができる。また、人通孔５の梁長手方向両側には、夫
々、斜め補強筋８と、上下の梁主筋群にわたって巻掛け配筋される孔周囲せん断補強筋１
１および孔際せん断補強筋１２から成る孔周囲補強筋９が埋設されるので、上下の軸方向
補強筋１３の変形や位置ずれを防ぐと共に、人通孔５の側面を補強することができる。つ
まり、人通孔５はその周囲どの部分においても補強されるので、強度的な問題を発生させ
ることなく人通孔５の大きさを大きくすることができ、人通孔５の直径Ｈを地中梁３の梁
成Ｄの１／２．４まで大きくすることが可能である。
【符号の説明】
【００２６】
３  地中梁
５  人通孔
６  人通孔回りの補強構造
７ａ，７ｂ  梁主筋
８  斜め補強筋
９  孔周囲補強筋
１０  孔部補強筋
１１  孔周囲せん断補強筋
１２  孔際せん断補強筋
１３  軸方向補強筋
１４  孔上下部あばら筋
１５  拘束筋
【図１】
2013087504.tif 000003
【図２】
2013087504.tif 000004
【図３】
2013087504.tif 000005
【図４】
2013087504.tif 000006
【図５】
2013087504.tif 000007
【図６】
2013087504.tif 000008
【図７】
2013087504.tif 000009
【図８】
2013087504.tif 000010
【図９】
2013087504.tif 000011